(57)【要約】【課題】動力伝達効率を向上することで良好な燃費性能を達成するとともに、バネ下重量の軽減による良好な乗り心地が得られ、且つ、バッテリの搭載性を向上可能な電動トラックの駆動装置を提供する。【解決手段】電動トラックの駆動装置は、モータ、ギアボックス及び差動装置を収容する駆動ユニットを有する。駆動ユニットは、第１支持手段によってラダーフレームに対して支持される。作動装置に連結されるドライブシャフトは、中空部材に収容されており、当該中空部材は第２支持手段によってラダーフレームに対して弾性的に支持される。【選択図】図３
2019026050.tif 000002
【特許請求の範囲】
【請求項１】
上方にキャブが搭載され、前後方向に沿って延在するラダーフレームを備える電動トラックの駆動装置であって、
動力源であるモータと、前記モータに連結されるギアボックスと、前記ギアボックスに連結される差動装置と、を収容する駆動ユニットと、
前記駆動ユニットの前記差動装置にフレキシブルジョイントを介して連結し、前記モータで生じる動力を前記電動トラックの車輪に伝達する一対のドライブシャフトと、
前記一対のドライブシャフトを収容する一対の中空部材と、
前記一対の中空部材を連結することにより、前記一対の車輪を支持する連結部材と、
前記駆動ユニットを、前記ラダーフレームに対して支持する第１支持手段と、
前記中空部材を、前記ラダーフレームに対して弾性的に支持する第２支持手段と、を含む電動トラックの駆動装置。
【請求項２】
前記第１支持手段は、前記第２支持手段よりも低い弾性で前記駆動ユニットを支持する請求項１に記載の電動トラックの駆動装置。
【請求項３】
前記第２支持手段は、リーフスプリングを介して前記中空部材を、前記ラダーフレームに対して弾性的に支持する請求項１または２に記載の電動トラックの駆動装置。
【請求項４】
前記差動装置は、前記ギアボックスの最終ギアと係合するヘリカルギアを備える、請求項１から３のいずれか１項に記載の電動トラックの駆動装置。
【発明の詳細な説明】
【技術分野】
【０００１】
本開示は、モータの駆動力を車輪に伝達して走行可能な電動トラックの駆動装置に関する。
【背景技術】
【０００２】
電力で駆動されるモータ（電動機）から出力される駆動力を車輪に伝達することで走行可能な電動車両が知られている。この種の電動車両として、モータのみを動力源とする電気自動車や、モータとエンジンとを併用するハイブリッド電気自動車が知られており、乗用車を中心に普及が進んでいる。近年に至っては、トラックのような商用車両においても普及が進んでいる。
例えば特許文献１には、走行用動力源としてエンジン及びモータを備えるハイブリッド方式のトラック車両が開示されている。
【先行技術文献】
【特許文献】
【０００３】
【特許文献１】特開２０１２−１１１３６９号公報
【発明の概要】
【発明が解決しようとする課題】
【０００４】
電気自動車は乗用車を中心に普及が進んでいるが、近年では、トラック等を含めた商用車においても開発及び研究が進められている。ここで図５を参照して、走行用動力源としてモータを備えるトラック車両（電動トラック）１’の概略構成について説明する。図５は典型的な電動トラック１’の概略構成を上方から示す模式図である。
電動トラック１’は、車両前後方向に延在した左右一対のサイドレール２と、サイドレール２間に配設される複数のクロスメンバ４と、を備える、ラダーフレーム３上に、キャブ５及び荷台（不図示）が搭載されてなる。一対のサイドレール２は、車幅方向に所定間隔を有するように設けられる。クロスメンバ４は、車幅方向に延在して両端が各サイドレール２に接続され、車両前後方向に所定間隔を有するように複数設けられている。
【０００５】
このようなラダーフレーム３上には、動力源であるモータ６と、モータ６に連結されるギアボックス８と、ギアボックス８に連結されるプロペラシャフト１０と、プロペラシャフト１０に連結される差動装置１２と、差動装置１２に連結されるドライブシャフト１４と、が設けられる。モータ６の出力はギアボックス８にて減速され、プロペラシャフト１０を介して差動装置１２に伝達される。差動装置１２はプロペラシャフト１０から伝達された動力を、ドライブシャフト１４を介して、所定比率で左右の車輪１６に伝達することにより、電動トラック１’の走行が実現される。尚、左右一対のドライブシャフト１４は、それぞれ左右の懸架装置２０によってラダーフレーム３に対して懸架されている。
【０００６】
このような構成を有する電動トラック１’では、モータ６の出力は、ギアボックス８、プロペラシャフト１０及び差動装置１２を介して車輪側に伝達されるため、動力の伝達効率に少なからずロスが発生する。特にプロペラシャフト１０はユニバーサルジョイントを備え、ロスが発生しやすい。このようなロスを軽減するための解決策として、例えば、ロス発生の大きな要因であるプロペラシャフト１０を排除したパワートレイン構造を採用することが考えられる。しかしながら、プロペラシャフト１０を排除した構成では、モータ６やギアボックス８が差動装置１２に一体となるため、バネ下重量の増加による乗り心地の悪化や、路面から入力される振動がモータ６やギアボックス８に伝達しやすくなることで耐久性が低下するおそれがある。
【０００７】
また電動トラックでは、航続距離を長く確保できるようにモータ６に供給する電力を蓄えるバッテリの容量増大が望まれる。このような要求に対応するために、バッテリの搭載スペースを拡大する必要があるが、図５に示されるようなフレーム構造では、長尺のプロペラシャフト１０によってパワートレインが大型となる傾向があり、十分な設置スペースの確保が難しい。
【０００８】
加えて、トラックの場合、乗用車と比して車両重量が大きく、かつ貨物積載時にはよりその重量が増大する。よって、懸架装置に対して非常に大きな入力が生じることから、信頼性確保の観点から懸架装置の重量も増大する。そのため、乗用車の懸架装置に比してバネ下重量が増大する虞がある。
【０００９】
本発明の少なくとも１実施形態は上述の事情に鑑みなされたものであり、動力伝達効率を向上することで良好な燃費性能を達成するとともに、バッテリの搭載性を向上し、且つ、バネ下重量の増加を防ぐことができる電動トラックの駆動装置を提供することを目的とする。
【課題を解決するための手段】
【００１０】
（１）本発明の少なくとも１実施形態に係る電動トラックの駆動装置は上記課題を解決するために、上方にキャブが搭載され、前後方向に沿って延在するラダーフレームを備える電動トラックの駆動装置であって、動力源であるモータと、前記モータに連結されるギアボックスと、前記ギアボックスに連結される差動装置と、を収容する駆動ユニットと、前記駆動ユニットの前記差動装置にフレキシブルジョイントを介して連結し、前記モータで生じる動力を前記電動トラックの車輪に伝達する一対のドライブシャフトと、前記一対のドライブシャフトを収容する一対の中空部材と、前記一対の中空部材を連結することにより、前記一対の車輪を支持する連結部材と、前記駆動ユニットを、前記ラダーフレームに対して支持する第１支持手段と、前記中空部材を、前記ラダーフレームに対して弾性的に支持する第２支持手段と、を含む。
【００１１】
上記（１）の構成によれば、モータ、ギアボックス、及び、差動装置は駆動ユニットとして一体的に構成される。そのため、モータの出力は、プロペラシャフトのような長尺部材を介することなく差動装置に伝達され、少ないロスで動力伝達が可能になっている。その結果、動力伝達効率が向上し、良好な燃費性能が得られる。また駆動ユニットは、プロペラシャフトのような長尺部材を含まないため、パワートレイン構成をコンパクト化できるため、車両搭載時に、バッテリ等の他の構成要素を搭載するためのスペースを、有効に確保できる。
【００１２】
しかしながら、動力伝達効率を向上することで良好な燃費性能を達成するとともに、バッテリの搭載性の向上を目的とし、モータ、ギアボックス、及び、差動装置が一体的に構成される駆動ユニットを採用する場合、特にトラックのように重量が大きな車両では乗用車と異なり、十分なモータトルクを得るためにギアボックスを介してモータから差動装置１２に動力を伝達する必要があるため、駆動ユニット自体の重量も増大し、バネ下重量が増加する虞がある。また、トラックのように重量が大きな車両においてハウジングによるリジッド式アクスルを採用した場合、バネ下重量がさらに大きくなる虞がある。
【００１３】
これに対し、本発明に係る電動トラックの駆動装置によれば、駆動ユニットの差動装置はフレキシブルジョイントを介してドライブシャフトに連結され、かつ、ドライブシャフトを収容する中空部材と、中空部材を連結することにより、一対の車輪を連結支持する連結部材と、を備える。また、駆動ユニットをラダーフレームに対して支持する第１支持手段と、中空部材を、ラダーフレームに対して弾性的に支持する第２支持手段と、を更に含む。
【００１４】
このような構成により、モータ、ギアボックス及び差動装置を含む駆動ユニットは第１支持手段によってラダーフレームに支持されることでバネ上支持とすることができる。また、差動装置より下流側において車輪に連結されるドライブシャフト、及び、ドライブシャフトを収容する一対の中空部材であるサドルは、アクスルパイプである連結部材によって互いに連結されることで所謂ドディオン式のリジッドアクスルを構成する。
【００１５】
これにより、本実施形態に係る電気トラックにおいては、バネ下重量の増加の虞があるような、モータ、ギアボックス、及び差動装置が一体的に構成される駆動ユニットを電気トラックに採用する場合であっても、バネ下重量の増加を防ぐことができる。
【００１６】
このようにして、動力伝達効率を向上することで良好な燃費性能を達成するとともに、バネ下重量の軽減による良好な乗り心地が得られ、且つ、バッテリの搭載性を向上可能な電動トラックの駆動装置を提供できる。特に、電気トラックの場合、乗用車に比して、走行中の振動から積荷を保護する必要がある。よって、電気トラックにおいて本発明を適用することにより、バネ下重量を効果的に低減し、積荷を振動より保護することができる。
【００１７】
また、このような構成により、車輪側からの路面入力は低減され、駆動ユニットの使用寿命や信頼性を向上させることができる。また、駆動ユニットへの路面入力が低減することにより、駆動ユニットにおけるハウジング等の構造を簡素化し重量軽減を図ることもできる。
【００１８】
（２）幾つかの実施形態では上記（１）の構成において、前記第１支持手段は、前記駆動ユニットを弾性的に支持してもよい。
【００１９】
上記（２）の構成によれば、駆動ユニット側も第１支持手段によって弾性的に支持される。これにより、ラダーフレーム側から振動入力が加えられた場合であっても、モータの信頼性を担保することができる。
【００２０】
（３）幾つかの実施形態では上記（１）または（２）の構成において、前記第２支持手段は、リーフスプリングを介して前記中空部材を、前記ラダーフレームに対して弾性的に支持する。
【００２１】
上記（３）の構成によれば、第２支持手段による中空部材のラダーフレームに対する弾性的な支持は、懸架装置を構成するリーフスプリングを利用して構成される。このようにトラック車両の既存構成である懸架装置を利用して第２支持手段を構成できるので、車両構造の複雑化を抑制しつつ、上記構成を実現できる。特に上記構成を有することにより、バネ下重量を増大することなく、良好な乗り心地が得られる。
【００２２】
（４）幾つかの実施形態では上記（１）から（３）のいずれか１構成において、前記差動装置は、前記ギアボックスの最終ギアと係合するヘリカルギアを備える。
【００２３】
上記（４）の構成によれば、差動装置がギアボックスの最終ギアと係合するヘリカルギアを備えることで、長尺部材であるプロペラシャフトを用いることなく、差動装置をギアボックスに対して直接連結する構成を実現できる。
【発明の効果】
【００２４】
本発明の少なくとも１実施形態によれば、動力伝達効率を向上することで良好な燃費性能を達成するとともに、バッテリの搭載性を向上し、且つ、バネ下重量の増加を防ぐことができる電動トラックの駆動装置を提供できる。
【図面の簡単な説明】
【００２５】
【図１】本発明の少なくとも１実施形態に係る電動トラックの概略構成を上方から示す模式図である。
【図２】図１の駆動ユニットを含む動力伝達経路を簡略的に示す模式図である。
【図３】図１の駆動ユニット近傍を車両後方側から示す斜視図である。
【図４】図１の駆動ユニットのドライブシャフトを通る平断面図である。
【図５】典型的な電動トラックの概略構成を上方から示す模式図である。
【発明を実施するための形態】
【００２６】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２７】
図１は本発明の少なくとも１実施形態に係る電動トラック１の概略構成を上方から示す模式図であり、図２は図１の駆動ユニット１５を含む動力伝達経路を簡略的に示す模式図であり、図３は図１の駆動ユニット１５近傍を車両後方側から示す斜視図である。
【００２８】
電動トラック１は、車両前後方向に延在した左右一対のサイドレール２と、サイドレール２間に配設される複数のクロスメンバ４と、を備えるラダーフレーム３上に、キャブ５及び荷台（不図示）が搭載されてなる。一対のサイドレール２は、車幅方向に所定間隔を有するように設けられる。クロスメンバ４は、車幅方向に延在して両端が各サイドレール２に接続され、車両前後方向に所定間隔を有するように複数設けられている。
【００２９】
このようなラダーフレーム３上には、動力源であるモータ６と、モータ６に連結されるギアボックス８と、ギアボックス８に連結される差動装置１２と、差動装置１２にフレキシブルジョイント３０を介して連結されるドライブシャフト１４と、が設けられる。モータ６の出力はギアボックス８にて減速され、差動装置１２に伝達される。差動装置１２はギアボックス８から伝達された動力を、ドライブシャフト１４を介して、所定比率で左右の車輪１６に伝達することにより、電動トラック１の走行が実現される。
【００３０】
尚、本実施形態では、後輪駆動のための走行用動力源としてモータ６のみを有する電動トラック１を例に説明するが、例えば、化石燃料を消費して動力を発生させるエンジンにより前輪駆動させることができ、かつ、後輪駆動用のモータ６を備えるハイブリッド方式の電動トラック１についても特段の記載がない限りにおいて同様である。
【００３１】
モータ６は、電動トラック１に搭載されたバッテリ（不図示）から供給される電力によって駆動することにより、動力を発生させる。バッテリには予め直流電力が蓄積されており、インバータによって所定周波数を有する交流電力に変換されて、モータ６に供給される。図１では、バッテリ及びインバータは省略されている。
【００３２】
モータ６の回転軸は、ギアボックス８の入力側に連結されている。ギアボックス８は複数のギアを備える減速機構であり、図２に示されるように、入力側から出力側にかけて５つのギア８ａ,８ｂ,８ｃ,８ｄ及び８ｅを備える。これらのうちギア８ｂ及び８ｃ、並びに、ギア８ｄ及び８ｅはそれぞれ同軸上に設けられており、ギア８ａ及び８ｂ、及びギア８ｃ及び８ｄが互いに係合するように構成されている。各ギアの径は、ギアボックス８に要求される減速比が実現可能なように設定されている。ギアボックス８では、モータ６側から入力される高回転低トルクを減速することで、低回転高トルクに変換して出力可能に構成されている。
【００３３】
ギアボックス８で減速された出力は、下流側に設けられる差動装置１２に入力される。差動装置１２の入力側は、ギアボックス８の最終ギア８ｅと係合するヘリカルギア１３が設けられている。ヘリカルギア１３は、ギアボックス８の最終ギア８ｅからの入力を受け、デフピニオン９ａ及びサイドギア９ｂを介し、左右一対の出力軸から伝達された動力を所定比率で左右のドライブシャフト１４に分配する。このように、ギアボックス８によって減速されたモータ６の出力は、プロペラシャフト１０（図５を参照）を介することなく、差動装置１２に直接入力される。そのため、プロペラシャフト１０による伝達ロスがなく、良好な動力伝達効率が得られる。またプロペラシャフト１０のような長尺部材を排することにより、パワートレイン系をコンパクトな構成で実現できるため、例えばモータ６に供給される電力を蓄積するバッテリのような他の構成要素を搭載するためのスペースを、有効に確保できる。
尚、ヘリカルギア１３を除く差動装置１２の構成については公知例に準ずるものとし、ここでは詳細を割愛する。
【００３４】
差動装置１２は、電動トラック１の走行状態に応じて、ギアボックス８側から入力される動力を、左右一対のドライブシャフト１４に伝達する。ドライブシャフト１４の両端部はブーツに覆われたフレキシブルジョイント３０からなる。差動装置１２は、一方のフレキシブルジョイント３０を介して、左右一対のドライブシャフト１４に対して回動可能に連結されている。そのため、駆動ユニット１５をバネ下支持から切り離すことができるほか、車輪１６側から入力される路面入力は、フレキシブルジョイント３０にて緩和され、差動装置１２に伝達される振動を軽減することができるようになっている。そして、差動装置１２からドライブシャフト１４に入力された動力は、ドライブシャフト１４に他方のフレキシブルジョイント３０を介して連結された左右の車輪１６に伝達され、電動トラック１の走行が実現される。
【００３５】
ここでモータ６、ギアボックス８及び差動装置１２は、駆動ユニット１５として一体的に構成されている。特にトラック車両のような商用車量では、車輪１６に対して大きな走行用動力を出力する必要があるため、良好な信頼性を得るためにモータ６、ギアボックス８及び差動装置１２が大型になり、その結果、駆動ユニット１５全体としてもサイズが大きくなる傾向がある。また乗用車では比較的駆動トルクが小さく済むためモータの出力をギアボックスを介することなく、直接、差動装置に入力する構成が一般的であるが、商用車では大きな駆動トルクを得るためにギアボックス８が必要となるため、この観点からも駆動ユニット１５は大型になる傾向がある。このような駆動ユニット１５は、以下に説明する支持手段によって、ラダーフレーム３に対して支持されている。
【００３６】
ここで上述の図１乃至図３に加えて図４を参照して、駆動ユニット１５のラダーフレーム３に対する支持構造について説明する。図４は図１の駆動ユニット１５のうちドライブシャフト１４を通る平断面図である。
【００３７】
本実施形態では、図１に示すように、駆動ユニット１５のラダーフレーム３に対する支持構造として、第１支持手段２２及び第２支持手段２４を備える。
【００３８】
第１支持手段２２は駆動ユニット１５をラダーフレーム３に対して支持し、第２支持手段２４はドライブシャフト１４を支持する中空部材１９（図３を参照）をラダーフレーム３に対して弾性的に支持する。
【００３９】
第１支持手段２２の具体的構成は、駆動ユニット１５をラダーフレーム３に対して支持することができる限り特に限定されない。例えば、駆動ユニット１５とラダーフレーム３のフレームとを連結してもよいし、駆動ユニット１５とラダーフレーム３のクロスメンバとを連結してもよい。本実施形態では、第１支持手段は駆動ユニット１５の前方近傍に位置するクロスメンバ４に対して、駆動ユニット１５を支持している。
【００４０】
また、第１支持手段２２は駆動ユニット１５の少なくとも一部をラダーフレーム３に対して弾性的に支持してもよい。ここで第１支持手段２２の弾性は、例えばラバーマウントとして構成される。
【００４１】
第２支持手段２４は、連結部材２１によって互いに接続される一対の中空部材１９を、ラダーフレーム３に対して弾性的に支持する。このような第２支持手段２４の弾性的な支持は、例えば、リーフスプリング式懸架装置２０を構成するリーフスプリング２０ａに中空部材１９をマウントすることにより構成してもよい。リーフスプリング２０ａは、一対の車輪１６に対応するように左右に一対設けられており、連結部材２１によって接続される一対の中空部材１９がそれぞれマウントされている。
【００４２】
尚、本実施形態では、リーフスプリングに対して中空部材１９が上方からマウントされた場合を例示しているが、リーフスプリングに対して中空部材１９が下方からマウントされていてもよい。また本実施形態では、車両にリーフスプリング式懸架装置が適用された場合を例示しているが、これに代えて、公知の各種懸架装置を用いてもよい。
【００４３】
図２に示すように、ドライブシャフト１４は、その両端においてブーツに覆われたフレキシブルジョイント３０を備える。一方のフレキシブルジョイント３０は、差動装置１２に連結されるとともに、他方のフレキシブルジョイント３０は、車輪１６に連結されたドライブシャフトに連結されている。これにより、バネ上側に支持される駆動ユニット１５とバネ下側に支持される車輪１６との間に相対的変位が生じる場合であっても、フレキシブルジョイント３０によって回転自在に連結されたドライブシャフト１４を介して、駆動ユニット１５からの動力を車輪１６に伝達できるように構成されている。
【００４４】
また、このようなドライブシャフト１４を備えることで、走行時に車輪１６側で生じた振動は、フレキシブルジョイント３０によって吸収されることにより、駆動ユニット１５へ直接入力されることを防ぐことができる。その結果、駆動ユニット１５の故障リスクを低減できる。
【００４５】
差動装置１２の出力側に接続されるドライブシャフト１４は、その外周側を覆うように配置された中空部材（サドル）１９によって収容される。中空部材１９は、その内部にドライブシャフト１４が挿入可能な空間を有しており、当該空間においてドライブシャフト１４が連結される車輪側のドライブシャフト（図示せず）をベアリング等により回転及び揺動可能に支持している。
【００４６】
このような中空部材１９は、リーフスプリング２０ａを介して、サイドレール２に対して弾性的に支持される。また中空部材１９は、車両後方側にて、互いに連結部材（アクスルパイプ）２１を介して接続されることにより、所謂ドディオン式のリジッドアクスルを構成している。
【００４７】
以上説明したように本実施形態によれば、モータ６、ギアボックス８及び差動装置１２は駆動ユニット１５として一体的に構成される。そのため、モータ６の出力は、プロペラシャフトのような長尺部材を介することなく差動装置に伝達され、少ないロスで動力伝達が可能になっている。その結果、動力伝達効率が向上し、良好な燃費性能が得られる。また駆動ユニット１５は、プロペラシャフトのような長尺部材を含まないため、パワートレイン構成をコンパクト化できるため、車両搭載時に、バッテリ等の他の構成要素を搭載するためのスペースを、有効に確保できる。
【００４８】
しかしながら、動力伝達効率を向上することで良好な燃費性能を達成するとともに、バッテリの搭載性の向上を目的とし、モータ６、ギアボックス８、及び、差動装置１２が一体的に構成される駆動ユニット１５を採用する場合、特にトラックのように重量が大きな車両では乗用車と異なり、十分なモータトルクを得るためにギアボックス８を介してモータ６から差動装置１２に動力を伝達する必要があるため、駆動ユニット１５自体の重量も大きくなり、バネ下重量が増加する虞がある。また、トラックのように重量が大きな車両においてハウジングによるリジッド式アクスルを採用した場合、バネ下重量がさらに大きくなる虞がある。
【００４９】
これに対し、本実施形態に係る電動トラックの駆動装置によれば、駆動ユニット１５の差動装置１２はフレキシブルジョイント３０を介してドライブシャフト１４に連結され、かつ、ドライブシャフト１４を収容する中空部材１９と、中空部材１９を連結することにより、一対の車輪１６を連結支持する連結部材２１と、を備える。また、駆動ユニット１５をラダーフレームに対して支持する第１支持手段２２と、中空部材１９を、ラダーフレームに対して弾性的に支持する第２支持手段２４と、を更に含む。
【００５０】
このような構成により、モータ６、ギアボックス８及び差動装置１２を含む駆動ユニット１５は第１支持手段２２によってラダーフレーム２に支持されることでバネ上支持とすることができる。また、差動装置１２より下流側において車輪１６に連結されるドライブシャフト１４、及び、ドライブシャフトを収容する一対の中空部材であるサドル１９は、アクスルパイプである連結部材２１によって互いに連結されることで所謂ドディオン式のリジッドアクスルを構成する。
【００５１】
これにより、本実施形態に係る電気トラックにおいては、バネ下重量の増加の虞があるような、モータ６、ギアボックス８、及び差動装置１２が一体的に構成される駆動ユニット１５を電気トラックに採用する場合であっても、バネ下重量の増加を防ぐことができる。
【００５２】
このようにして、動力伝達効率を向上することで良好な燃費性能を達成するとともに、バネ下重量の軽減による良好な乗り心地が得られ、且つ、バッテリの搭載性を向上可能な電動トラックの駆動装置を提供できる。
【００５３】
尚、本実施形態では電動トラック１として後１軸車を例示しているが、後２軸車の場合には、懸架装置２０としてトラニオン式サスペンション、４バックエアサスペンション及びレイコサスペンションが用いられてもよい。また本実施形態では単一の差動装置１２を備える、いわゆるワンデフの電動トラック１が例示されているが、ツーデフのように複数の差動装置１２を備える場合においても本願と同様の技術的思想を適用可能である。
【産業上の利用可能性】
【００５４】
本開示は、モータの駆動力を車輪に伝達して走行可能な電動トラックの駆動装置に利用可能である。
【符号の説明】
【００５５】
１  電動トラック
２  サイドレール
３  ラダーフレーム
４  クロスメンバ
５  キャブ
６  モータ
８  ギアボックス
９ａ  デフピニオン
９ｂ  サイドギア
１０  プロペラシャフト
１２  差動装置
１３  ヘリカルギア
１４  ドライブシャフト
１５  駆動ユニット
１６  車輪
１９  中空部材
２０  懸架装置
２０ａ  リーフスプリング
２１  連結部材（アクスルパイプ）
２２  第１支持手段
２４  第２支持手段
３０  フレキシブルジョイント
【図１】
2019026050.tif 000003
【図２】
2019026050.tif 000004
【図３】
2019026050.tif 000005
【図４】
2019026050.tif 000006
【図５】
2019026050.tif 000007